(57)【要約】      （修正有）【課題】野菜に相応する正常な成長、低速成長及びゼロ成長の状態が保たれ、野菜の鮮度保持の期間が延長される野菜積載ケースを提供する。【解決手段】野菜積載ケースは、高位液体入口１と低位液体出口５とが相対的に設けられた溶液積載箱７を備えている。溶液積載箱７内の高位液体入口１と低位液体出口５との間に位置するエリアにおいて、突出した流れガイドの仕切３によって曲がりくねった液体流路２が形成され、液体流路２内に霧化器６が設けられている。野菜積載ケースの液体流路２によって、栄養液が、野菜積載ケース全体内において１つの栄養液流を形成し、野菜積載ケース全体に流れる。これにより、野菜積載ケース内に栄養成分が比較的均一に行き渡り、野菜の均衡成長に有益である。また、霧化器６によって栄養液が霧化されることで、栄養液がミストとして野菜積載ケースの上部の空間で均等に揮発する。また、霧化器６を介して栄養液の霧化量を制御する。【選択図】図１
0003205266.tif 000002
【実用新案登録請求の範囲】
【請求項１】
高位液体入口と低位液体出口とが相対的に設けられた溶液積載箱を備え、
前記溶液積載箱内の前記高位液体入口と前記低位液体出口との間に位置するエリアにおいて、突出した流れガイドの仕切によって曲がりくねった液体流路が形成され、前記液体流路内に霧化器が設けられていることを特徴とする野菜積載ケース。
【請求項２】
前記霧化器の上方に霧化器蓋板が設けられていることを特徴とする請求項１に記載の野菜積載ケース。
【請求項３】
前記霧化器蓋板は、両側に下方に折れ曲がった支持板が接続された天板を含み、
前記支持板の下端は、前記溶液積載箱と固定接続されていることを特徴とする請求項２に記載の野菜積載ケース。
【請求項４】
前記溶液積載箱内に、複数の前記流れガイドの仕切が並んで配置され、２つの隣り合う前記流れガイドの仕切がそれぞれ前記溶液積載箱の一方及び他方に配置されていることを特徴とする請求項１〜３のいずれか１項に記載の野菜積載ケース。
【請求項５】
複数の前記流れガイドの仕切は、互いに平行であることを特徴とする請求項４に記載の野菜積載ケース。
【請求項６】
２つの隣り合う前記流れガイドの仕切が、前記流れガイドの仕切に垂直な方向に投影されたときに互いに重複する重複部を有することを特徴とする請求項５に記載の野菜積載ケース。
【請求項７】
前記流れガイドの仕切は、垂直に配置された帯状板であることを特徴とする請求項１〜３のいずれか１項に記載の野菜積載ケース。
【請求項８】
前記液体入口の軸線及び前記液体出口の軸線は、ともに水平且つ互いに平行に設けられていることを特徴とする請求項１〜３のいずれか１項に記載の野菜積載ケース。
【請求項９】
前記液体入口及び前記液体出口は、前記溶液積載箱の同じ側に位置することを特徴とする請求項８に記載の野菜積載ケース。
【請求項１０】
前記霧化器が前記溶液積載箱の中央に位置することを特徴とする請求項１〜３のいずれか１項に記載の野菜積載ケース。
【請求項１１】
前記溶液積載箱の上方に配置され、前記液体流路の上面から上方に離隔した野菜シェルをさらに備えていることを特徴とする請求項１に記載の野菜積載ケース。
【請求項１２】
前記野菜シェルに貫通孔が設けられていることを特徴とする請求項１１に記載の野菜積載ケース。
【請求項１３】
前記貫通孔内に孔栓が挿抜可能に配置されていることを特徴とする請求項１２に記載の野菜積載ケース。
【請求項１４】
前記野菜シェルに、複数の貫通孔設定エリアが設けられ、前記複数の貫通孔設定エリアは、それぞれ、１つの十字補強材を具有し、前記十字補強材によって前記貫通孔設定エリアが4象限エリアに分かれ、前記4象限エリアのそれぞれに１つの前記貫通孔が設けられていることを特徴とする請求項１２に記載の野菜積載ケース。
【請求項１５】
前記溶液積載箱の下方に位置する光照射素子をさらに備えていることを特徴とする請求項１に記載の野菜積載ケース。
【請求項１６】
前記光照射素子は、光源と、前記光源の出射光路に配置された導光板とを含むことを特徴とする請求項１７に記載の野菜積載ケース。
【請求項１７】
前記光源は、前記導光板の両側に対称に配置された複数組の線光源を含むことを特徴とする請求項１６に記載の野菜積載ケース。
【請求項１８】
前記液体入口及び前記液体出口に、それぞれ管継手が取り付けられ、少なくとも１つの前記管継手は、鋼心継手及び前記鋼心継手の外周に被覆されたフレキシブル材料層を含むことを特徴とする請求項１に記載の野菜積載ケース。
【請求項１９】
前記鋼心継手は、前記円錐台セグメント及び前記円錐台セグメントの小径端に接続された円管セグメントを含み、前記円錐台セグメントの錐面は、前記野菜積載ケースの内部に面していることを特徴とする請求項１８に記載の野菜積載ケース。
【請求項２０】
前記鋼心継手に、電磁弁が接続されていることを特徴とする請求項１８又は１９に記載の野菜積載ケース。
【考案の詳細な説明】
【技術分野】
【０００１】
本考案は、野菜の鮮度保持又は栽培の技術分野に関し、特に、野菜積載ケースに関する。
【背景技術】
【０００２】
水耕栽培技術は、重厚な野菜生産技術である。現在の水耕栽培の分野においては、通常、複数の栽培槽を支持台に成層するように置き、栄養液が頂部の栽培槽から最下層の栽培槽まで順次に流れるように、複数層の栽培槽は管路を介して互いに連通している。
【考案の概要】
【考案が解決しようとする課題】
【０００３】
従来の栽培槽は単純な矩形の槽であり、栄養液がその中で流動する際に、エッジ及び槽の角に近い部位に栄養液の流動死角が存在するため、栄養成分の分布が不均一になり、野菜の成長に影響を与えてしまう。また、層と層との間の栽培槽同士に遮光の問題（つまり、上方の層の栽培槽が下方の栽培槽に対して遮光するという問題）が存在するため、下層の栽培槽が光照射不足になる。層と層との間の栽培槽、及び、栽培槽とポンプとの間の管路接続箇所は、管継手を介して接続されており、このような接続方式は、着脱操作が煩雑であり、複数回の着脱の後に水漏れの問題が生じやすい。
【０００４】
また、現在は、冷蔵庫を用いて野菜の鮮度保持を行うことが一般的である。しかし、このような鮮度保持方式は、摘み取った野菜の鮮度保持を行うことであり、鮮度保持の期間が短いという問題が存在する。
【課題を解決するための手段】
【０００５】
本考案に係るいくつかの態様について、基本的な理解を提供するために、以下、本考案について簡単に説明する。この概要は、本考案に関する網羅的なものではないことについて理解すべきである。以下の説明は、本考案の要旨又は重要な部分を意図的に確定するものでもなく、本考案の範囲を意図的に限定するものでもない。以下の説明の目的は、後述する更なる詳細な説明の前置きとして、簡潔な形式でいくつかの概念を提供することにすぎない。
【０００６】
本考案に係る野菜積載ケースは、従来の栽培槽における栄養液の流動死角が存在することで栄養成分の分布が不均一であり野菜の成長に影響を与える問題、及び、冷蔵庫を用いて野菜を保存するのでは鮮度保持の期間が短いという問題を解決するために用いられる。
【０００７】
本考案に係る野菜積載ケースは、高位液体入口と低位液体出口とが相対的に設けられた溶液積載箱を備えている。前記溶液積載箱内の前記高位液体入口と前記低位液体出口との間に位置するエリアにおいて、突出した流れガイドの仕切によって曲がりくねった液体流路が形成され、前記液体流路内に霧化器が設けられている。
【０００８】
本考案に係る野菜積載ケースの液体入口と液体出口との間のエリアに曲がりくねった液体流路が形成されることによって、栄養液が、野菜積載ケース全体内において１つの栄養液流を形成し、野菜積載ケース全体に流れる。これにより、野菜積載ケース内に栄養成分が比較的均一に行き渡り、野菜の均衡成長に有益である。また、霧化器によって栄養液が霧化されることで、栄養液がミストとして野菜積載ケースの上部の空間で均等に揮発する。これにより、野菜が栄養素を吸収するのに有益であり、野菜の成長に必要な栄養素が満たされる。また、霧化器を介して栄養液の霧化量を制御することによって、野菜の成長の進行状況を制御することができる。これにより、野菜に相応する正常な成長、低速成長及びゼロ成長の状態が保たれ、野菜の鮮度保持の期間が延長される。
【図面の簡単な説明】
【０００９】
【図１】本考案の実施形態における野菜積載ケースの立体分解図である。
【図２】図１における溶液積載箱の構造概略図である。
【図３】図１における溶液積載箱及び野菜仕切板の概略図である。
【図４】図１における溶液積載箱及び光照射素子の概略図である。
【図５】図１における光源及び導光板による１つの実施形態の構造概略図である。
【図６】図１における野菜積載ケースの部分を別の視点から見た概略図である。
【考案を実施するための形態】
【００１０】
以下、図面を参照しつつ、本考案の実施形態について説明する。本考案の１つの図面又は１つの実施形態に記載されている要素及び特徴は、ほかの１つ又は複数の図面又は実施形態に表示された要素及び特徴と結合することができる。本考案の目的を明確にするために、図面及び説明において、本考案に関係せず且つ当業者にとって既知の部品及び処理の表示及び記載について省略することを理解されたい。
【００１１】
図１及び図６に示すように、本考案の実施形態に係る野菜積載ケースは、高位液体入口１と低位液体出口５とが相対的に設けられた溶液積載箱７と、溶液積載箱７の上方に配置された野菜シェル８と、溶液積載箱７の下方に位置する光照射素子２２とを備えている。溶液積載箱７内の液体入口１と液体出口５との間に位置するエリアにおいて、突出した流れガイドの仕切３によって曲がりくねった液体流路２が形成されている。液体流路２内には、霧化器６が設けられている。野菜シェル８は液体流路２の上面から上方に離隔しており、野菜シェル８と液体流路２の上面との間に空間が形成されている。使用する際、野菜シェル８は野菜を乗せるために用いられ、野菜の根部上記空間に位置する。これにより、野菜の根部が空気中に位置し、野菜の成長状態を制御することに有益であり、鮮度保持の目的が達成される。また、野菜の根部が液体流路２の上方に位置していることで、根部における栄養液の流動に対する悪影響が排除され、根部の呼吸に有益であり、栄養素に対する吸収能力が向上する。
【００１２】
上記の解決手段に係る野菜積載ケースの液体入口１と液体出口５との間のエリアに曲がりくねった液体流路２が形成されることによって、栄養液が、野菜積載ケース全体内において１つの栄養液流を形成し、野菜積載ケース全体に流れる。したがって、死角が存在せず、野菜積載ケース内に栄養成分が比較的均一に行き渡り、野菜の均衡成長に有益である。また、栄養液が、重力の作用の下で液体流路２内を流れる一方、溶液積載箱７全体を充満しないため、液体流路２と野菜シェル８との間に、空間が確保される。霧化器６を介して栄養液に対して霧化を行うと、霧化された栄養液は、上記空間全体に拡散し、野菜の根部に吸収される。このとき、栄養液は、ミストとして野菜積載ケースの上部の空間で均等に揮発する。これにより、野菜が栄養素を吸収するのに有益であり、野菜の成長に必要な栄養素が満たされる。また、霧化器６を介して栄養液の霧化量を制御することによって、野菜の成長の進行状況を制御することができる。これにより、野菜に相応する正常な成長、低速成長及びゼロ成長の状態が保たれ、野菜の鮮度保持の期間が延長され、最高の鮮度保持の効果が達成される。特に、野菜のゼロ成長の状態が保たれる際に、比較的長期間の鮮度を保つことができる。
【００１３】
実際の使用において、栄養液は、溶液積載箱７の高位液体入口１から溶液積載箱７内に流れ込み、重力の作用の下で、折れ曲がった液体流路２に沿って流れ、低位液体出口５から排出されるまで液体流路２の全体を充満している。栄養液が折れ曲がった液体流路２に沿って流れることで、溶液積載箱７内において栄養液の死角が存在せず、溶液積載箱７内の各箇所の栄養液の鮮度及び栄養成分の均一性が確保される。
【００１４】
さらに、上記の実施形態において、液体入口１及び液体出口５には、それぞれ管継手１２が取り付けられている。少なくとも１つの管継手１２は、鋼心継手及び鋼心継手の外周に被覆されたフレキシブル材料層を含む。管継手１２は、挿入の方式によって液体入口１及び液体出口５と接続されているため、取り外しが容易である。また、鋼心継手の外周に被覆されたフレキシブル材料層は、それ自身が有する弾性作用によって、接続する際に自動校正することができる。したがって、管継手１２が接続された後の密封効果が保障される。
【００１５】
さらに、上記の実施形態において、鋼心継手は、円錐台セグメント１３及び円錐台セグメント１３の小径端に接続された円管セグメント１４を含む。円錐台セグメント１３の錐面は、野菜積載ケースの内部に面している。円管セグメント１４は、ガイド作用を有し、挿入による取り付けが容易である。円錐台セグメント１３は、密封を実現するために用いられる。円錐台セグメント１３の外周面の直径は、徐々に増加し、複数の口径の液体入口１及び／又は液体出口５に適応する。複数回の取り付けによって液体入口１及び／又は液体出口５が摩耗によって大きくなったとしても、円錐台セグメント１３の複数の口径の適応能力によって、良好な密封効果を確保することができる。
【００１６】
さらに、上記の実施形態において、鋼心継手には、電磁弁１５が接続されている。電磁弁１５は、常閉型電磁弁であってよい。常閉型電磁弁を採用することによって、管継手１２が液体入口１から抜き出された後に管路内の栄養液が漏えいするという問題を回避することができる。
【００１７】
さらに、上記の実施形態において、野菜シェル８は、板状部材であり、野菜シェル８には、複数の貫通孔９が設けられ、野菜は貫通孔９内に挿入されている。野菜の根部は、野菜シェル８と液体流路２との間の空間に位置し、栄養液の流動に悪影響を与えることはない。野菜の根部は、上記空間に位置することで、空気と十分に接触する。したがって、根部の呼吸に有益である。また、根部は、上記空間を介して霧化された栄養液を吸収して成長することができる。
【００１８】
さらに、上記の実施形態において、貫通孔９内には、挿抜可能な孔栓１０が配置されている。孔栓１０は、野菜が挿入されていない貫通孔９内に配置されている。野菜が挿入されていない貫通孔９内に孔栓１０が配置されることによって、霧化された栄養液が貫通孔９から外部へ発散することによる無駄を防ぐことができる。また、貫通孔９から汚物が溶液積載箱７内に入ることによる栄養液の汚染も防止できる。
【００１９】
さらに、上記の実施形態において、野菜シェル８には、複数の貫通孔設定エリアが設けられている。各貫通孔設定エリアは、１つの十字補強材１１を具有する。十字補強材１１によって貫通孔設定エリアが4象限エリアに分かれ、4象限エリアのそれぞれに１つの貫通孔９が設けられている。このような構造によれば、野菜を栄養液の上方の空間に配置することで、野菜シェル８は、剛性が増し、野菜の重量に耐えることができる。また、野菜の根部を空中に位置させ、霧化された栄養液を吸収させることで、栄養液の霧化量を制御することによって野菜の成長状態をより良好に制御することができる。これにより、野菜に相応する正常な成長、低速成長及びゼロ成長の状態が保たれ、野菜の鮮度保持の期間が延長され、最高の鮮度保持の効果が達成される。
【００２０】
霧化器６は、超音波霧化器であってよいが、これに限定されない。
【００２１】
さらに、上記の実施形態において、霧化器６を保護し、野菜の下方に向いて成長する根部が霧化器６に対する損傷を防ぐために、霧化器６の上方に霧化器蓋板４が配置されている。霧化器蓋板４は、霧化器６に対するカバー作用を有する。また、霧化器蓋板４は、霧化された気体の方向を変え、周囲に拡散させる作用を有する。これは、霧化された気体を溶液積載箱７内全体に拡散するのに役に立つ。これにより、野菜積載ケース内の各箇所に栽培された野菜は、栄養素を比較的十分に吸収することができる。
【００２２】
さらに、上記の実施形態において、霧化器蓋板４は、両側に下方に折れ曲がった支持板が接続された天板を含む。支持板の下端は、溶液積載箱７と固定接続されている。霧化器蓋板４は、このような構造であることによって、接続が簡単であり、性能の信頼性が高い。
【００２３】
さらに、上記の実施形態において、溶液積載箱７内には、複数の流れガイドの仕切３が並んで配置されている。２つの隣り合う流れガイドの仕切３は、それぞれ溶液積載箱７の一方及び他方に配置されている。このような構造を採用することによって、溶液積載箱７内における液体流路２の流路長が比較的長くなり、溶液は溶液積載箱７内の全体に流れ込むことができる。また、栄養液の液体流路２内における流動時間が長くなり、野菜積載ケース内の各位置に栽培された野菜が栄養素を十分に吸収して成長することができる。
【００２４】
さらに、上記の実施形態において、栄養液が流動する過程における限流抵抗を低下させ、栄養液の流動の安定性を確保するために、複数の流れガイドの仕切３は、互いに平行である。
【００２５】
さらに、上記の実施形態において、溶液積載箱７内に折れ曲がった液体流路２が完全に形成されることを保証し、栄養液が溶液積載箱７の片側から直接に反対側に流れることを防ぐため、２つの隣り合う流れガイドの仕切３は、流れガイドの仕切３に垂直な方向に投影されたときに互いに重複する重複部を有し、流れる栄養液が重複部において方向転換して流動する。
【００２６】
さらに、上記の実施形態において、流れガイドの仕切３は、垂直に配置された帯状板である。帯状板を採用することで、液体に対して流れガイドを行いつつ、溶液積載箱７内の空間を節約することができる。
【００２７】
さらに、上記の実施形態において、液体入口１の軸線及び液体出口５の軸線は、ともに水平且つ互いに平行に設けられている。これにより、野菜積載ケースは、水平方向に沿って着脱を行うことができ、液体入口１及び液体出口５が外部の管路システムとの接続が便利である。
【００２８】
さらに、上記の実施形態において、液体入口１及び液体出口５は、溶液積載箱７の同じ側に位置する。これにより、野菜積載ケースが水平方向に沿って着脱されるのと同時に、液体入口１及び液体出口５の挿抜が実現される。
【００２９】
さらに、上記の実施形態において、霧化された栄養液を比較的均一に溶液積載箱７全体に拡散させるため、霧化器６が溶液積載箱７の中央に配置されている。
【００３０】
本考案に係る野菜積載ケースの底部には、光照射素子２２が配置されている。積層使用する際に、上層の野菜積載ケースの底部にある光照射素子２２が下層の野菜積載ケースに十分の光照射を提供することで、野菜積載ケース内の野菜が十分の光照射を取得して成長又は鮮度保持することができる。
【００３１】
さらに、上記の実施形態において、光照射素子２２は、光源及び導光板１６を含む。光源と導光板１６とは、対応するように配置されている。導光板１６は、光源が発した光の分布を均一にするために用いられる。
【００３２】
さらに、上記の実施形態において、図２に示すように、代替方法として、光源は、導光板１６の両側に対称に配置された第１線光源１９及び第２線光源２０を含む。第１線光源１９及び第２線光源２０は両方とも、線形配列を呈する複数の単位光源２１を含む。第１線光源１９又は第２線光源２０が発光する際に、導光板１６を介して導光を行い、導光板１６全体に均一に発光させる（つまり、線光源を面光源に転換させる）。これにより、光照射の使用率が最大限に向上し、エネルギー消費量が低減され、省エネに効果的である。
【００３３】
さらに、上記の実施形態において、複数の単位光源２１は、白色光源である。これにより、使用空間内の光線が自然の光線に近づくため、野菜の成長又は鮮度保持に必要な光照射が満たされる。一部の野菜の成長又は鮮度保持に主に必要なのは赤い光及び青い光が対応するスペクトルであることが、研究を通じて発見された。従って、代替方法として、複数の単位光源２１は、赤色光源及び青色光源を含む。これにより、野菜をより良好に成長させること又は鮮度保持することができる。複数の単位光源２１は、赤色光源、青色光源及び白色光源をさらに含む。これにより、野菜が成長するためのニーズに応じてスペクトルを自由に選択し、野菜をより良好に成長させること又は鮮度保持することができ、野菜の鮮度保持の期間が延長される。実際の使用において、複数の単位光源２１は、野菜積載ケースの底部に取り外し可能に配置される。これにより、個別の単位光源２１に問題が生じた際に、交換が便利である。さらに、ユーザは、ニーズに応じて単位光源２１の色を設定することができる。
【００３４】
さらに、上記の実施形態において、単位光源２１を保護し、単位光源２１の表面で水が凝固して単位光源２１が損傷するのを防ぐため、単位光源２１及び導光板１６の外周に、単位光源２１を保護するためのシェード１７が配置されている。シェード１７は、高い光透過率を有する材料から製作されることが好ましい。野菜の異なる成長段階によって、光照射に対するニーズも異なるため、代替方法として、本実施形態に係る野菜積載ケースは、光源の明るさを制御するための制御器１８をさらに含む。制御器１８は、光源と電気接続され、光照射制御信号を取得し、光照射制御信号に基づいて光源の明るさを調節するために用いられる。
【００３５】
上記の実施形態は、本考案に係る技術的解決手段を説明するためのものにすぎず、本考案を限定するものではない。上記の実施形態を参照して本考案について詳細に説明したにも関わらず、上記の各実施形態に記載された技術的解決手段について修正し、若しくは、その中の部分の技術的特徴について同等置換を行うことができる。一方、これらの修正又は置換によって、対応する技術的解決手段の本質が本考案に係る各実施形態の精神及び範囲を逸脱することはない。
【図１】
0003205266.tif 000003
【図２】
0003205266.tif 000004
【図３】
0003205266.tif 000005
【図４】
0003205266.tif 000006
【図５】
0003205266.tif 000007
【図６】
0003205266.tif 000008
【手続補正書】
【提出日】平成28年5月20日(2016.5.20)
【手続補正１】
【補正対象書類名】実用新案登録請求の範囲
【補正対象項目名】全文
【補正方法】変更
【補正の内容】
【実用新案登録請求の範囲】
【請求項１】
高位液体入口と低位液体出口とが相対的に設けられた溶液積載箱を備え、
前記溶液積載箱内の前記高位液体入口と前記低位液体出口との間に位置するエリアにおいて、突出した流れガイドの仕切によって曲がりくねった液体流路が形成され、前記液体流路内に霧化器が設けられていることを特徴とする野菜積載ケース。
【請求項２】
前記霧化器の上方に霧化器蓋板が設けられていることを特徴とする請求項１に記載の野菜積載ケース。
【請求項３】
前記霧化器蓋板は、両側に下方に折れ曲がった支持板が接続された天板を含み、
前記支持板の下端は、前記溶液積載箱と固定接続されていることを特徴とする請求項２に記載の野菜積載ケース。
【請求項４】
前記溶液積載箱内に、複数の前記流れガイドの仕切が並んで配置され、２つの隣り合う前記流れガイドの仕切がそれぞれ前記溶液積載箱の一方及び他方に配置されていることを特徴とする請求項１〜３のいずれか１項に記載の野菜積載ケース。
【請求項５】
複数の前記流れガイドの仕切は、互いに平行であることを特徴とする請求項４に記載の野菜積載ケース。
【請求項６】
２つの隣り合う前記流れガイドの仕切が、前記流れガイドの仕切に垂直な方向に投影されたときに互いに重複する重複部を有することを特徴とする請求項５に記載の野菜積載ケース。
【請求項７】
前記流れガイドの仕切は、垂直に配置された帯状板であることを特徴とする請求項１〜３のいずれか１項に記載の野菜積載ケース。
【請求項８】
前記液体入口の軸線及び前記液体出口の軸線は、ともに水平且つ互いに平行に設けられていることを特徴とする請求項１〜３のいずれか１項に記載の野菜積載ケース。
【請求項９】
前記液体入口及び前記液体出口は、前記溶液積載箱の同じ側に位置することを特徴とする請求項８に記載の野菜積載ケース。
【請求項１０】
前記霧化器が前記溶液積載箱の中央に位置することを特徴とする請求項１〜３のいずれか１項に記載の野菜積載ケース。
【請求項１１】
前記溶液積載箱の上方に配置され、前記液体流路の上面から上方に離隔した野菜シェルをさらに備えていることを特徴とする請求項１に記載の野菜積載ケース。
【請求項１２】
前記野菜シェルに貫通孔が設けられていることを特徴とする請求項１１に記載の野菜積載ケース。
【請求項１３】
前記貫通孔内に孔栓が挿抜可能に配置されていることを特徴とする請求項１２に記載の野菜積載ケース。
【請求項１４】
前記野菜シェルに、複数の貫通孔設定エリアが設けられ、前記複数の貫通孔設定エリアは、それぞれ、１つの十字補強材を具有し、前記十字補強材によって前記貫通孔設定エリアが4象限エリアに分かれ、前記4象限エリアのそれぞれに１つの前記貫通孔が設けられていることを特徴とする請求項１２に記載の野菜積載ケース。
【請求項１５】
前記溶液積載箱の下方に位置する光照射素子をさらに備えていることを特徴とする請求項１に記載の野菜積載ケース。
【請求項１６】
前記光照射素子は、光源と、前記光源の出射光路に配置された導光板とを含むことを特徴とする請求項１５に記載の野菜積載ケース。
【請求項１７】
前記光源は、前記導光板の両側に対称に配置された複数組の線光源を含むことを特徴とする請求項１６に記載の野菜積載ケース。
【請求項１８】
前記液体入口及び前記液体出口に、それぞれ管継手が取り付けられ、少なくとも１つの前記管継手は、鋼心継手及び前記鋼心継手の外周に被覆されたフレキシブル材料層を含むことを特徴とする請求項１に記載の野菜積載ケース。
【請求項１９】
前記鋼心継手は、前記円錐台セグメント及び前記円錐台セグメントの小径端に接続された円管セグメントを含み、前記円錐台セグメントの錐面は、前記野菜積載ケースの内部に面していることを特徴とする請求項１８に記載の野菜積載ケース。
【請求項２０】
前記鋼心継手に、電磁弁が接続されていることを特徴とする請求項１８又は１９に記載の野菜積載ケース。